(57)【要約】【課題】グランドを効果的に蹴り上げることができると共に、足の捻りの力を十分に受け止めて捻りだめを得ることができる野球靴のスパイク金具及びそれを備えた野球靴を提供する。【解決手段】野球靴１０の前部スパイク金具１３は、靴底１２の前部に装着される。該前部スパイク金具１３は、爪先側に位置し靴底１２の中心軸線１６に対して直交方向に延びる複数の第１突片１７と、その後方位置に突設された左右一対の第２突片１８と、第１突片１７及び第２突片１８の間で靴底１２の内側縁１９に近接する位置に突設された第３突片２０とが環状連結板２１の外周縁部の折曲げ形成によって一体的に形成されている。第３突片２０は、靴底１２の中心軸線１６に沿う方向に延び、靴底１２の内側に位置する第１突片１７ａ及び第２突片１８ａを結ぶ線上、つまり足の親指と拇指球を結ぶ線上に設けられている。【選択図】図１
2009285341.tif 000002
【特許請求の範囲】
【請求項１】
野球靴の靴底の前部に装着され、爪先側に位置し靴底の中心軸線に対して直交方向に延びる複数の第１突片と、その後方位置に突設された左右一対の第２突片と、前記第１突片及び第２突片の間で靴底の内側縁に近接する位置に突設された第３突片とが環状連結板によって一体的に形成された野球靴のスパイク金具であって、
前記第３突片は、靴底の中心軸線に沿う方向に延びるように設けられていることを特徴とする野球靴のスパイク金具。
【請求項２】
前記第３突片は、靴底の内側に位置する第１突片及び靴底の内側に位置する第２突片を結ぶ線上に設けられ、野球靴を履いたとき足の親指と拇指球を結ぶ線上に設けられていることを特徴とする請求項１に記載の野球靴のスパイク金具。
【請求項３】
前記第３突片は、靴底の内側に位置する第２突片に最も近接するように設けられていることを特徴とする請求項１又は請求項２に記載の野球靴のスパイク金具。
【請求項４】
前記第１突片は、爪先側に位置する第１主突片と、その後方の左右に位置する一対の第１副突片とにより構成されていることを特徴とする請求項１から請求項３のいずれか１項に記載の野球靴のスパイク金具。
【請求項５】
前記第２突片は、靴底の爪先に対して逆ハの字状に形成されていることを特徴とする請求項１から請求項４のいずれか１項に記載の野球靴のスパイク金具。
【請求項６】
請求項１から請求項５のいずれか１項に記載の野球靴のスパイク金具を靴底の前部に固着すると共に、靴底の後部に後部スパイク金具を固着した野球靴であって、
前記後部スパイク金具は、野球靴を履いたときの足の土踏まず側に位置しハの字状に形成された第４突片と、踵側に位置し逆ハの字状に形成された第５突片とが環状結合板の外周縁部の折曲げ形成によって一体的に形成されたものであることを特徴とする野球靴。
【発明の詳細な説明】
【技術分野】
【０００１】
本発明は、例えばプロ野球の投手や野手が履く野球靴のスパイク金具であって、走塁時、投球時又は打撃時における蹴り足に有効で、捻りだめを得ることができる野球靴のスパイク金具及びそれを備えた野球靴に関するものである。
【背景技術】
【０００２】
従来、この種のスパイク金具を備えた野球靴（スパイクシューズ）は、投手のスローイング、野手のバッティングやスローイングの効果を最大限に発揮すべくスパイク金具の配置が種々検討され、提案されている。例えば、爪先突片と、該爪先突片の後方に突設された左右２つの突片と、これらの突片を連結する連結座板を有する野球用スパイクにおいて、爪先突片と後方の突片との中間部に補助突片を設けた野球靴用スパイクが知られている（例えば、特許文献１を参照）。この野球用スパイクによれば、スローイング、バッティング及びランニングにおいてスパイクの防滑力を有効に働かせることができる。
【０００３】
また、爪先突片と、該爪先突片を頂点としてその後方に突設する左右２つの突片とを連結座板により一体的に形成したトライアングル形を呈する第１のスパイクＡ、及び左右両突片を備えた板状の第２のスパイクＢからなる野球用靴底が提案されている（例えば、特許文献２を参照）。この野球用靴底では、第１のスパイクＡの突片を靴底面上の中足趾関節相当部辺よりも上方すなわち爪先寄りとなるように装着し、第２のスパイクＢが中足趾関節相当部辺を隔ててその下方に装着されている。そして、係る野球用靴底によれば、足の屈曲動作を阻害せずに足の運動機能を十分に発揮させると共に、スパイクの防滑力を最大限に発揮させ、ランニング、バッティング及びスローイングの何れの運動動作も有効に働かせることができる。
【特許文献１】実開平６−２１４０８号公報（第２頁、第５頁及び図１）
【特許文献２】特開平９−４７３０３号公報（第２頁及び第３頁）
【発明の開示】
【発明が解決しようとする課題】
【０００４】
ところで、野手が走塁をスタートするときなどには、拇指球の辺り、或いは親指から拇指球にかけての内側ラインでグランド（地面、芝生面等）を蹴ってダッシュすることが必要である。しかしながら、特許文献１に記載されている野球用スパイクにおいては、爪先突片、後方位置の２つの突片及び補助突片がいずれも靴底の中心軸線に対して直交する方向又はそれに傾斜する方向に設けられている。そのため、スタートダッシュするときに靴底の中心軸線に対して直交方向への踏ん張りが不足し、グランドを十分に蹴り上げることができない。さらに、各突片が靴底の中心軸線に直交する方向及びそれに傾斜する方向に設けられ、中心軸線に沿う方向には設けられていないため、足の捻りの力を十分に受け止めることができなかった。
【０００５】
また、特許文献２に記載の野球用靴底では、第２のスパイクＢに靴底の内側縁に沿う方向に延びる突片が設けられているが、靴底の中心軸線に対しては斜め方向に設けられているため、中心軸線に対して直交方向への踏ん張りが不十分であると共に、足の捻りの力を十分に受け止めることができなかった。その上、第１のスパイクＡと第２のスパイクＢとが別体で構成されていることから、第１のスパイクＡの各突片と第２のスパイクＢの各突片とがそれぞれ力を受けたときに一体性が発揮されず、それらの突片による効果の発現が不十分になるという問題があった。
【０００６】
本発明は、このような従来技術に存在する問題点に着目してなされたものであり、その目的とするところは、グランドを効果的に蹴り上げることができると共に、足の捻りの力を十分に受け止めて捻りだめを得ることができる野球靴のスパイク金具及びそれを備えた野球靴を提供することにある。
【課題を解決するための手段】
【０００７】
上記の目的を達成するために、請求項１に係る野球靴のスパイク金具は、野球靴の靴底の前部に装着され、爪先側に位置し靴底の中心軸線に対して直交方向に延びる複数の第１突片と、その後方位置に突設された左右一対の第２突片と、前記第１突片及び第２突片の間で靴底の内側縁に近接する位置に突設された第３突片とが環状連結板によって一体的に形成されたものである。そして、前記第３突片は、靴底の中心軸線に沿う方向に延びるように設けられていることを特徴とする。
【０００８】
請求項２に係る野球靴のスパイク金具は、請求項１に係る発明において、前記第３突片は、靴底の内側に位置する第１突片及び靴底の内側に位置する第２突片を結ぶ線上に設けられ、野球靴を履いたとき足の親指と拇指球を結ぶ線上に設けられていることを特徴とする。
【０００９】
請求項３に係る野球靴のスパイク金具は、請求項１又は請求項２に係る発明において、前記第３突片は、靴底の内側に位置する第２突片に最も近接するように設けられていることを特徴とする。
【００１０】
請求項４に係る野球靴のスパイク金具は、請求項１から請求項３のいずれか一項に係る発明において、前記第１突片は、爪先側に位置する第１主突片と、その後方の左右に位置する一対の第１副突片とにより構成されていることを特徴とする。
【００１１】
請求項５に係る野球靴のスパイク金具は、請求項１から請求項４のいずれか１項に係る発明において、前記第２突片は、靴底の爪先に対して逆ハの字状に形成されていることを特徴とする。
【００１２】
請求項６に係る野球靴は、請求項１から請求項５のいずれか１項に記載の野球靴のスパイク金具を靴底の前部に固着すると共に、靴底の後部に後部スパイク金具を固着したものである。そして、前記後部スパイク金具は、野球靴を履いたときの足の土踏まず側に位置しハの字状に形成された第４突片と、踵側に位置し逆ハの字状に形成された第５突片とが環状結合板の外周縁部の折曲げ形成によって一体的に形成されたものであることを特徴とする。
【発明の効果】
【００１３】
本発明によれば、次のような効果を発揮することができる。
請求項１に係る発明の野球靴のスパイク金具では、爪先側に位置し靴底の中心軸線に対して直交方向に延びる複数の第１突片と、その後方位置に突設された左右一対の第２突片と、前記第１突片及び第２突片の間で靴底の内側縁に近接する位置に突設された第３突片とが環状連結板によって一体的に形成されている。そして、第３突片は靴底の中心軸線に沿う方向に延びるように設けられていることから、靴底の中心軸線に対して直交方向へ蹴る力を受け止め、グランドを十分に蹴り上げることができると同時に、足の捻りの力を効果的に受け止めることができる。従って、グランドを効果的に蹴り上げることができると共に、足の捻りの力を十分に受け止めて捻りだめを得ることができる。
【００１４】
請求項２に係る野球靴のスパイク金具では、第３突片が靴底の内側に位置する第１突片及び靴底の内側に位置する第２突片を結ぶ線上に設けられ、野球靴を履いたとき足の親指と拇指球を結ぶ線上に設けられている。このため、請求項１に係る発明の効果に加えて、第３突片によりグランドを蹴る力を最も有効に発揮することができる。
【００１５】
請求項３に係る野球靴のスパイク金具では、第３突片が靴底の内側に位置する第２突片に最も近接するように設けられている。このため、第３突片が靴底の内側に位置する第２突片と相乗的に作用し、請求項１又は請求項２に係る発明の効果を向上させることができる。
【００１６】
請求項４に係る野球靴のスパイク金具では、第１突片は爪先側に位置する第１主突片と、その後方の左右に位置する一対の第１副突片とにより構成されている。従って、請求項１から請求項３のいずれかに係る発明の効果に加え、前向きスタートのときに十分にグランドを蹴り上げることができる。
【００１７】
請求項５に係る野球靴のスパイク金具では、第２突片が靴底の爪先に対して逆ハの字状に形成されている。このため、請求項１から請求項４のいずれかに係る発明の効果に加えて、靴底の中心軸線に沿う方向及び直交方向の両方向に対して蹴り上げる力及び捩りだめを向上させることができる。
【００１８】
請求項６に係る野球靴では、前記野球靴のスパイク金具を靴底の前部に固着すると共に、靴底の後部に後部スパイク金具を固着したものである。そして、後部スパイク金具は、野球靴を履いたときの足の土踏まず側に位置しハの字状に形成された第４突片と、踵側に位置し逆ハの字状に形成された第５突片とが環状結合板の外周縁部の折曲げ形成によって一体的に形成されている。従って、前部スパイク金具により請求項１から請求項５のいずれかに係る発明の効果を発揮することができると共に、後部スパイク金具により斜め方向の動きや踏ん張る際に有効に働き、コーナー走行時や守備時に効果を発揮することができる。
【発明を実施するための最良の形態】
【００１９】
以下、本発明の最良と思われる実施形態を図面に基づいて詳細に説明する。
図５に示すように、左足用の野球靴１０は革製の靴本体１１の靴底１２に、前部スパイク金具１３及び後部スパイク金具１４が固着されて構成されている。なお、右足用の野球靴は図示しないが、左足用の野球靴１０と対称形状に形成され、左足用の野球靴１０と一対をなすように構成されている。そして、これらの前部スパイク金具１３と後部スパイク金具１４がグランド（地面、芝生等）１５に食い込むことにより、スタートダッシュ等の走る動作、速球を投げる等の投げる動作及びホームランを打つ等の打つ動作を有効に発揮させることができる。
【００２０】
まず、左足に装着される野球靴１０の前部スパイク金具１３について説明する。図１に示すように、前部スパイク金具１３は、爪先側に位置し靴底１２の中心軸線１６に対して直交方向に延びる複数の第１突片１７と、その後方位置に突設された左右一対の第２突片１８と、第１突片１７及び第２突片１８の間で靴底１２の内側縁１９に近接する位置に突設された第３突片２０とにより構成されている。これらの突片２２は、環状連結板２１の外周縁部の折曲げ形成によって一体的に形成されている。これらの突片２２の位置、方向、数及び長さ等により、主として軸足の捻りを受け止める捻りだめを発揮することができ、軸足の捻りによって生まれる足の内側の力を親指と拇指球を結ぶ線（ライン）で感じることができる。
【００２１】
図２に示すように、環状連結板２１は鋼材によりほぼ四角環状に形成され、各突片２２はその外周縁部すなわち突出部分２２ａが垂立するように、図の二点鎖線の位置で折曲げ形成されている。環状に形成することにより、一体的な強度を保持しつつ、軽量化を図ることができる。この環状連結板２１の厚さは、所定厚さ例えば１．６ｍｍに設定される。各突片２２はほぼ台形状に形成され、その頂辺の中央部には断面円弧状をなす切欠き２３が設けられている。この切欠き２３により、グランド１５に対する突片２２の食い込みが良くなってグランド１５に対する抵抗力を増すことができる。環状連結板２１の爪先側位置及び後部の左右位置には環状連結板２１を連結ピン２４で靴本体１１に固着するための固着用孔２５が透設されている。
【００２２】
図１に示すように、第１突片１７は中央に位置する第１主突片１７ａとその左右に位置する一対の第１副突片１７ｂ、１７ｃとの３つの突片２２により構成されている。第１主突片１７ａは中心軸線１６上の最も爪先側に設けられ、一対の第１副突片１７ｂ、１７ｃは第１主突片１７ａより後方位置で中心軸線１６を挟んで両側に設けられている。第１主突片１７ａの延びる方向は少し内向きに設定され、一対の第１副突片１７ｂ、１７ｃを結ぶラインは第１主突片１７ａの延びる方向とほぼ平行に設定され、両第１副突片１７ｂ、１７ｃは少し内向きに設けられている。
【００２３】
第１主突片１７ａは一対の第１副突片１７ｂ、１７ｃと同じ高さに形成されているが、一対の第１副突片１７ｂ、１７ｃよりも長く形成されている。例えば、第１主突片１７ａは長さ２０ｍｍ、高さ１０ｍｍに設定され、一対の第１副突片１７ｂ、１７ｃはそれぞれ長さ１５ｍｍ、高さ１０ｍｍに設定される。第１主突片１７ａは大きく形成されてその機能が十分に発現され、一対の第１副突片１７ｂ、１７ｃは小さく形成されて軽量化されている。この第１突片１７すなわち第１主突片１７ａ及び一対の第１副突片１７ｂ、１７ｃの位置、方向及び長さにより、前後方向への動きが効果的に受け止められ、特に前方へのダッシュ時に有効に作用する。
【００２４】
具体的には、第１主突片１７ａは、前向き走の前傾姿勢でのスタート及び爪先立ち内側走法での蹴り足に有効に働く。なお、爪先立ち内側走法は、爪先側及び内側に力を込めて走る方法である。内側の第１副突片１７ｂは、前向き走の前傾姿勢でのスタート及び爪先立ち内側走法における蹴り足に有効に働くと同時に、内側への体重移動時における蹴り足に有効に働く。外側の第１副突片１７ｃは、走塁時及びベース付近の動きに対応できるように働くと共に、スピードが増すにつれて外側より着地するためその着地を早くして体重移動を内側へ速やかに移行するように働く。
【００２５】
左右一対の第２突片１８は、第１突片１７の後方位置で中心軸線１６の左右において爪先側に対し逆ハの字となるように設けられている。各第２突片１８の延びる方向は、中心軸線１６に対してそれぞれ逆方向にほぼ４５度となるように設定されている。この第２突片１８は、前記第１主突片１７ａより短く、第１副突片１７ｂ、１７ｃより長くなるように形成されている。例えば、両第２突片１８は長さ１７ｍｍ及び高さ１０ｍｍに設定されている。第２突片１８は中心軸線１６に対して４５度方向に設けられているため、前後方向及び左右方向の両方向の動きを受け止めることができる。
【００２６】
内側の第２突片１８ａは、走塁スタートでの蹴り足に有効に働くと共に、守備時の多様な動き、特にコーナー走行等の斜めの動きに有効に働く。外側の第２突片１８ｂは、走塁時及びベース付近の動き、特にコーナー走行等の斜めの動きに対応できるように働くと共に、スピードが増すにつれて外側より着地するためその着地を早くして体重移動を内側へ速やかに移行するように働く。
【００２７】
第３突片２０は、第１突片１７と第２突片１８との間で靴底１２の内側縁１９の近傍位置に設けられ、中心軸線１６に沿う方向に延びている。この第３突片２０は前記第１主突片１７ａと同じ大きさに設定されている。このため、第３突片２０の位置、方向及び長さにより、左右方向への動きが効果的に受け止められ、左右方向へのダッシュ時に有効に機能する。第３突片２０は、走塁スタート時及びタッチアップ時における蹴り足に有効に働く。捻りを加えるときには、第１主突片１７ａ、内側の第１副突片１７ｂ及び第３突片２０を結ぶ内側ラインが有効に働く。
【００２８】
次に、後部スパイク金具１４について説明する。図１に示すように、後部スパイク金具１４は、野球靴１０を履いたときの足の土踏まず側に位置しハの字状に形成された一対の第４突片２６と、踵側に位置し逆ハの字状に形成された一対の第５突片２７とが環状結合板２８の外周縁部の折曲げ形成によって一体的に形成されたものである。図３に示すように、環状結合板２８は鋼材によりほぼ逆台形環状に形成され、各突片２２はその外周縁部すなわち突出部分２２ａが垂立するように、図の二点鎖線の位置で折曲げ形成されている。この環状結合板２８の厚さは、前記環状連結板２１と同じ厚さに設定されている。各突片２２の形状は、前記第２突片１８と同じに設定されている。
【００２９】
一対の第４突片２６ａ、２６ｂは、それらの延びる方向が中心軸線１６に対してそれぞれ逆方向にほぼ４５度となるように設定されている。一対の第５突片２７ａ、２７ｂは、それらの延びる方向が中心軸線１６に対してそれぞれ逆方向にほぼ７０度となるように設定されている。そして、これらの第４突片２６ａ、２６ｂ及び第５突片２７ａ、２７ｂにより、前後方向及び左右方向の両方向の動きを受け止めることができるようになっている。
【００３０】
具体的には、内側の第４突片２６ａ及び外側の第４突片２６ｂは、走塁スタート時及びベース付近の動きをはじめとする多種の動きに有効に作用する。内側の第５突片２７ａは、走塁スタート時に前記第３突片２０と共に蹴り足のほか多種の動きに対して有効に作用する。外側の第５突片２７ｂは、捻りだめに有効であるほか、走塁スタート時における蹴り足に有効に作用する。前述の前部スパイク金具１３に設けられた６本の突片２２が環状連結板２１によって一体的に形成されているため、それらの突片２２が相乗的に機能を発現することができる。また、後部スパイク金具１４に設けられた４本の突片２２が環状結合板２８によって一体的に形成されているため、それらの突片２２が相乗的に機能を発現することができる。さらに、これら合計１０本の突片２２が機能的、相乗的に働いて効果を発揮することができる。
【００３１】
図４に示すように、右足に装着される野球靴１０のスパイク金具１３、１４は、その前部スパイク金具１３が左足に装着される野球靴１０の前部スパイク金具１３と対称となるように靴底１２に固着され、後部スパイク金具１４が左足に装着される野球靴１０の後部スパイク金具１４と対称となるように靴底１２に固着されている。後部スパイク金具１４の各突片２２は、前部スパイク金具１３の各突片２２と同様の機能を発現する。そして、右足のスパイク金具１３、１４は、走塁スタート等の動きに対して軸足又は蹴り足となってその効果を発揮する。
【００３２】
上記のように構成された野球靴１０のスパイク金具１３、１４による作用について説明する。
さて、野球靴１０を履いてグランド１５を走る場合、前向き走（ストレート走）では第１主突片１７ａ及び一対の第１副突片１７ｂ、１７ｃよりなる第１突片１７により、走力が生み出され、スタートダッシュを図ることができる。着地するときには外側の第１副突片１７ｃで着地し、内側の第１副突片１７ｂへと体重移動する。このとき、野球靴１０の内側縁１９の近傍位置に第３突片２０が設けられていることから、内側の第１副突片１７ｂと第３突片２０とによって体重が受け止められ、蹴り足を生かすことができる。また、タッチアップスタート等の横方向へのスタート時には、親指から拇指球へと延びるライン上に設けられた第３突片２０が最も有効に機能し、優れたスタートダッシュを得ることができる。
【００３３】
投手が投球を行う場合、オーバースローのときには踵から爪先側へ体重移動が行われ、後部スパイク金具１４の第４突片２６から前部スパイク金具１３の内側の第２突片１８ａ、第３突片２０及び内側の第１副突片１７ｂに順に力が加えられる。特に、スリークォータースロー、サイドスロー及びアンダースローの場合には、親指から拇指球へのラインに力が加えられる。このため、内側の第２突片１８ａ、第３突片２０及び内側の第１副突片１７ｂが有効に機能し、しっかりとグランドをとらえる（つかむ）ことができる。さらに、野手の場合には、近距離、塁間及び遠距離を投げる場合に強弱があるものの、同様の体重移動が行われ、その体重移動に適切に対応することができる。従って、投球を力強く、的確に行うことができる。
【００３４】
バッターがバッターボックスに立って打つ場合、軸足を少しハの字にしてバッターボックスに足を固定する。このとき、第３突片２０を中心して内側の第１副突片１７ｂ、第１主突片１７ａ及び内側の第２突片１８ａが有効に働く。ステップする足は、走る場合と同様の力を各突片２２に及ぼす。そして、軸足と受け足の膝及び腰の内側回転を行い、下半身の回転により、グランドから得られる反力（パワー）が上半身に有効に伝えられる。
【００３５】
前記走る、投げる及び打つという動作に共通するのは、足の親指から拇指球のラインに捻りの力が加わる点であり、その捻りの力が十分に受け止められることによって捻りだめが得られ、係る捻りだめに基づく反力により走力、投力及び打力のパワーを発現することができる。
【００３６】
以上の実施形態によって発揮される効果を以下にまとめて記載する。
・  この実施形態の前部スパイク金具１３では、爪先側に位置する複数の第１突片１７と、その後方に位置する左右一対の第２突片１８ａ、１８ｂと、それらの中間部で靴底１２の内側縁１９に近接する第３突片２０とが環状連結板２１によって一体的に形成されている。そして、第３突片２０は中心軸線１６に沿う方向に延びるように設けられていることから、中心軸線１６に対して直交方向へ蹴る力を受け止め、グランドを十分に蹴り上げることができると同時に、足の捻りの力を効果的に受け止めることができる。従って、グランドを効果的に蹴り上げることができると共に、足の捻りの力を十分に受け止めて捻りだめを得ることができる。
【００３７】
・  前記第３突片２０が靴底１２の内側に位置する第１副突片１７ｂ及び靴底１２の内側に位置する第２突片１８ａを結ぶ線上に設けられ、野球靴１０を履いたとき足の親指と拇指球を結ぶ線上に設けられている。このため、第３突片２０によりグランド１５を蹴る力を最も有効に発揮することができる。
【００３８】
・  第３突片２０が靴底１２の内側に位置する第２突片１８ａに最も近接するように設けられているため、第３突片２０が第２突片１８ａと相乗的に作用し、前記の効果を向上させることができる。
【００３９】
・  第１突片１７が爪先側に位置する第１主突片１７ａと、その後方の左右に位置する一対の第１副突片１７ｂ、１７ｃとにより構成されている。従って、前向きスタートのときに十分にグランド１５を蹴り上げることができる。
【００４０】
・  一対の第２突片１８ａ、１８ｂが靴底１２の爪先に対して逆ハの字状に形成されている。このため、靴底１２の中心軸線１６に沿う方向及び直交方向の両方向に対して蹴り上げる力及び捩りだめを向上させることができる。
【００４１】
・  野球靴１０は、靴底１２の前部に前部スパイク金具１３が固着され、後部に後部スパイク金具１４が固着されて構成される。そして、後部スパイク金具１４は、足の土踏まず側に位置しハの字状に形成された第４突片２６ａ、２６ｂと、踵側に位置し逆ハの字状に形成された第５突片２７ａ、２７ｂとが環状結合板２８によって一体的に形成されている。従って、前部スパイク金具１３により前記効果を発揮することができると共に、後部スパイク金具１４により斜め方向の動きや踏ん張る際に有効に働き、コーナー走行時や守備時に効果を発揮することができる。
【００４２】
なお、前記各実施形態を次のように変更して具体化することも可能である。
〇  前記第１突片１７において、第１主突片１７ａの長さを長くし、一対の第１副突片１７ｂ、１７ｃの長さを短くしたり、第１主突片１７ａと第１副突片１７ｂ、１７ｃとの間隔を狭くしたりすることができる。また、一対の第１副突片１７ｂ、１７ｃの延びる方向を中心軸線１６に対して直交する方向から若干傾斜するように構成することも可能である。
【００４３】
〇  前記一対の第１副突片１７ｂ、１７ｃを、中心軸線１６に対する傾斜角度が異なるように構成することもできる。また、第１副突片１７ｂ、１７ｃの少なくとも一方の位置を前後方向又は左右方向に変更することも可能である。
【００４４】
〇  前記第３突片２０の長さを第１主突片１７ａの長さより長くなる（最も長くなる）ように構成したり、第３突片２０を複数に分割して構成したりすることができる。
〇  図１に示す左足の第３突片２０等の突片２２を、図４に示す右足の第３突片２０等の突片２２よりも長く形成し、野手の走塁時に蹴り足となる左足の蹴り上げを一層効果的にすることができる。また、図４に示す右足の第１主突片１７ａ等の突片２２を、図１に示す左足の第１主突片１７ａ等の突片２２よりも長く形成し、右投げ投手の投球時に踏み込みを良好にすることができる。
【００４５】
次に、前記実施形態より把握できる技術的思想について以下に記載する。
・  前記第１副突片は、第１主突片より短く形成されていることを特徴とする請求項４又は請求項５に記載の野球靴のスパイク金具。このように構成した場合、請求項４又は請求項５に係る発明の効果に加えて、第１副突片を軽くして前部スパイク金具の軽量化は発揮させることができる。
【００４６】
・  前記第３突片は、靴底の内側縁に沿うように延び、その長さが他の突片と比べて最も長くなるように設定されていることを特徴とする請求項１から請求項５のいずれか１項に記載の野球靴のスパイク金具。このように構成した場合、請求項１から請求項５のいずれかに係る発明の効果に加えて、第３突片による効果を有効に発揮させることができる。
【００４７】
・  前記第３突片は、内側の第１副突片の内側端部と内側の第２突片の内側端部とを結ぶ線上に設けられていることを特徴とする請求項４又は請求項５に記載の野球靴のスパイク金具。このように構成した場合、請求項４又は請求項５に係る発明の効果に加えて、第３突片による効果を第１突片及び第２突片の効果と相俟って有効に発揮させることができる。
【図面の簡単な説明】
【００４８】
【図１】実施形態における左足用の野球靴の靴底に前部スパイク金具及び後部スパイク金具よりなるスパイク金具を固着した状態を示す底面図。
【図２】前部スパイク金具の突片を折曲げ形成する前の状態を示す正面図。
【図３】後部スパイク金具の突片を折曲げ形成する前の状態を示す正面図。
【図４】右足用の野球靴の靴底に前部スパイク金具及び後部スパイク金具よりなるスパイク金具を固着した状態を示す底面図。
【図５】左足用の野球靴を示す正面図。
【符号の説明】
【００４９】
１０…野球靴、１２…靴底、１３…前部スパイク金具、１４…後部スパイク金具、１６…中心軸線、１７…第１突片、１７ａ…第１主突片、１７ｂ…内側の第１副突片、１７ｃ…外側の第１副突片、１８…第２突片、１８ａ…内側の第２突片、１８ｂ…外側の第２突片、１９…内側縁、２０…第３突片、２１…環状連結板、２２…突片、２６…第４突片、２６ａ…内側の第４突片、２６ｂ…外側の第４突片、２７…第５突片、２７ａ…内側の第５突片、２７ｂ…外側の第５突片、２８…環状結合板。
【図１】
2009285341.tif 000003
【図２】
2009285341.tif 000004
【図３】
2009285341.tif 000005
【図４】
2009285341.tif 000006
【図５】
2009285341.tif 000007